(57)【要約】【課題】警告灯等表示部を立体的に表示することができ、しかも見栄えの良い計器表示装置を提供する。【解決手段】文字板５と、文字板５を貫通した指針軸７の先端に基部が取り付けられた指針を照明する指針照明用光源と、指針の周囲で点灯表示される警告灯等表示部２２とを備えた計器表示装置であって、文字板５は、透明な基材１６と、基材１６の表面側に配置された微細レンズ部１７と、基材１６の裏面側に配置された拡大表示用図柄部２５とを有し、微細レンズ部１７により拡大表示用図柄部２５を拡大して基材１６の表面から離れた位置にて視認させ得るように構成され、さらに文字板５は、指針の回動範囲である指針回動領域が文字板５の周囲よりも奥側に凹んだ形状に折り曲げられ、その折り曲げ部３３，３４の裏面側にそれぞれ加飾印刷３７，３８が施されている。【選択図】図５
2010181165.tif 000002
【特許請求の範囲】
【請求項１】
文字板と、該文字板を貫通した指針軸の先端に基部が取り付けられた指針を照明する指針照明用光源と、前記指針の周囲で点灯表示される警告灯等表示部と、を備えた計器表示装置であって、
前記文字板は、透明な基材と、該基材の表面側に配置された微細レンズ部と、前記基材の裏面側に配置された拡大表示用図柄部とを有し、前記微細レンズ部により前記拡大表示用図柄部を拡大して前記基材の表面から離れた位置にて視認させ得るように構成され、
さらに前記文字板は、前記指針の回動範囲である指針回動領域が当該文字板の周囲よりも奥側に凹んだ形状に折り曲げられ、その折り曲げ部のうち山折りにされた部分の裏面側に加飾印刷が施されていることを特徴とする計器表示装置。
【請求項２】
文字板と、該文字板を貫通した指針軸の先端に基部が取り付けられた指針を照明する指針照明用光源と、前記指針の周囲で点灯表示される警告灯等表示部と、を備えた計器表示装置であって、
前記文字板は、透明な基材と、該基材の表面側に配置された微細レンズ部と、前記基材の裏面側に配置された拡大表示用図柄部とを有し、前記微細レンズ部により前記拡大表示用図柄部を拡大して前記基材の表面から離れた位置にて視認させ得るように構成され、
さらに前記文字板は、前記指針の回動範囲である指針回動領域が当該文字板の周囲よりも奥側に凹んだ形状に折り曲げられ、その折り曲げ部のうち山折りにされた部分に表側からリング部材が嵌め込まれていることを特徴とする計器表示装置。
【請求項３】
文字板と、該文字板を貫通した指針軸の先端に基部が取り付けられた指針を照明する指針照明用光源と、前記指針の周囲で点灯表示される警告灯等表示部と、を備えた計器表示装置であって、
前記文字板は、透明な基材と、該基材の表面側に配置された微細レンズ部と、前記基材の裏面側に配置された拡大表示用図柄部とを有し、前記微細レンズ部により前記拡大表示用図柄部を拡大して前記基材の表面から離れた位置にて視認させ得るように構成され、
さらに前記文字板は、前記指針の回動範囲である指針回動領域が当該文字板の周囲よりも奥側に凹んだ形状に折り曲げられ、その折り曲げ部のうち山折りにされた部分は文字板表面より突出し、かつその突出した部分の裏面側に加飾印刷が施されていることを特徴とする計器表示装置。
【発明の詳細な説明】
【技術分野】
【０００１】
本発明は、指針により指示することで表示する計器表示装置に関するものである。
【背景技術】
【０００２】
自動車等の車両には、車室内の前部に計器表示装置が取り付けられている。この計器表示装置は、通常、運転情報等を表示するための文字板と、文字板を貫通した指針軸の先端に基部が取り付けられ、回動してこの文字板に配置された指標を指示する指針とを有している（例えば、特許文献１参照）。
【０００３】
そして、この計器表示装置は、夜間等の外光がない場合に指針を照明する指針照明用機能部と、昼夜を問わず必要なときに文字板上に点灯表示される警告灯等表示部とを備えている。
【０００４】
ところで、文字板として、透明な基材と、この基材の表面側に配置した微細レンズ部と、基材の裏面側に配置した拡大表示用図柄部とを有する文字板構造が、本出願人により既に提案されている（特願２００８−２０４１０４号）。
【０００５】
この文字板構造においては、微細レンズ部により拡大表示用図柄部を拡大して基材の表面から離れた位置にて視認させ得ることが可能であり、これにより文字板上に点灯表示された警告灯等表示部を立体的に表示することができる。
【先行技術文献】
【特許文献】
【０００６】
【特許文献１】特開２００５−６２０５２号公報
【発明の概要】
【発明が解決しようとする課題】
【０００７】
しかしながら、上記従来の文字板構造では、文字板が平面形状であるので、文字板自体に奧行き感がなく、警告灯等表示部等を立体的に表示するにも限界があった。
【０００８】
本発明の課題は、文字板に奧行き感を持たせることにより、警告灯等表示部等を立体的に表示することができ、しかも見栄えの良い計器表示装置を提供することにある。
【課題を解決するための手段】
【０００９】
上記課題を解決するために、請求項１に記載の発明は、文字板と、該文字板を貫通した指針軸の先端に基部が取り付けられた指針を照明する指針照明用光源と、前記指針の周囲で点灯表示される警告灯等表示部と、を備えた計器表示装置であって、前記文字板は、透明な基材と、該基材の表面側に配置された微細レンズ部と、前記基材の裏面側に配置された拡大表示用図柄部とを有し、前記微細レンズ部により前記拡大表示用図柄部を拡大して前記基材の表面から離れた位置にて視認させ得るように構成され、さらに前記文字板は、前記指針の回動範囲である指針回動領域が当該文字板の周囲よりも奥側に凹んだ形状に折り曲げられ、その折り曲げ部のうち山折りにされた部分の裏面側に加飾印刷が施されていることを特徴としている。
【００１０】
上記構成によれば、文字板が、指針の回動範囲が当該文字板の周囲よりも奥側に凹んだ形状に折り曲げられているので、特に文字板の中央部に奧行き感を持たせることができ、これにより、文字板の中央部付近に形成された警告灯等表示部をより一層立体的に表示することが可能となる。
【００１１】
また、文字板を折り曲げた場合は、山折りに折り曲げた部分には微細レンズ部を設けることができず、見栄えが悪くなる虞があるが、上記構成によれば、折り曲げ部の裏面側に加飾印刷が施されているので、微細レンズ部が設けられていなくても見栄えが悪くなることはない。
【００１２】
さらに、文字板をその周囲よりも奥側に凹んだ形状に折り曲げた場合、少なくとも２つの平面部が形成されるが、これら平面部と平面部とを繋ぐ傾斜面部にも微細レンズ部を配置することにより、奥側に凹んだ平面部が凹まない平面部に比較してより奧行きがあるように見え、一層の立体感を得ることができる。
【００１３】
請求項２に記載の発明は、文字板と、該文字板を貫通した指針軸の先端に基部が取り付けられた指針を照明する指針照明用光源と、前記指針の周囲で点灯表示される警告灯等表示部と、を備えた計器表示装置であって、前記文字板は、透明な基材と、該基材の表面側に配置された微細レンズ部と、前記基材の裏面側に配置された拡大表示用図柄部とを有し、前記微細レンズ部により前記拡大表示用図柄部を拡大して前記基材の表面から離れた位置にて視認させ得るように構成され、さらに前記文字板は、前記指針の回動範囲である指針回動領域が当該文字板の周囲よりも奥側に凹んだ形状に折り曲げられ、その折り曲げ部のうち山折りにされた部分に表側からリング部材が嵌め込まれていることを特徴としている。
【００１４】
上記構成によれば、リング部材を嵌め込むことで、文字板の立体感がより一層増す。すなわち、運転者には、微細レンズ部を通さずにリング部材が直接目に入ってくるので、リング部材が手前に浮き出して見え、文字板の立体感がより一層増すことになる。
【００１５】
請求項３に記載の発明は、文字板と、該文字板を貫通した指針軸の先端に基部が取り付けられた指針を照明する指針照明用光源と、前記指針の周囲で点灯表示される警告灯等表示部と、を備えた計器表示装置であって、前記文字板は、透明な基材と、該基材の表面側に配置された微細レンズ部と、前記基材の裏面側に配置された拡大表示用図柄部とを有し、前記微細レンズ部により前記拡大表示用図柄部を拡大して前記基材の表面から離れた位置にて視認させ得るように構成され、さらに前記文字板は、前記指針の回動範囲である指針回動領域が当該文字板の周囲よりも奥側に凹んだ形状に折り曲げられ、その折り曲げ部のうち山折りにされた部分は文字板表面より突出し、かつその突出した部分の裏面側に加飾印刷が施されていることを特徴としている。
【００１６】
上記構成によれば、請求項２のようなリング部材を設ける必要がないので、その分、部品点数が少なくて済む。また、上記構成においては、文字板表面より突出した部分には微細レンズ部が配置されていないが、当該部分の裏面側には加飾印刷が施されているので、あたかもリング部材が存在しているように見え、当該部分が浮き上がって見える。これにより、文字板の立体感がより一層増すことになる。
【発明の効果】
【００１７】
本発明によれば、文字板は、指針の回動範囲が当該文字板の周囲よりも奥側に凹んだ形状に折り曲げられているので、警告灯等表示部を立体的に表示することができる。しかも、折り曲げ部の裏面側に加飾印刷を施すことにより、見栄えの良い計器表示装置を得ることができる。
【００１８】
また、折り曲げ部を文字板表面より突出させ、その突出部分の裏面側に加飾印刷を施したり、折り曲げ部にリング部材を嵌め込んだりすることにより、前記突出部分やリング部材が浮き上がって見え、文字板により一層の立体感を持たせることができる。
【図面の簡単な説明】
【００１９】
【図１】本発明に係る計器表示装置の正面図である。
【図２】図１のＳＡ−ＳＡ線に沿った概略断面図である。
【図３】計器表示装置の斜視図である。
【図４】指針の回動機構付近の断面図である。
【図５】実施例１による文字板の要部断面図である。
【図６】文字板表面に施される拡大表示用図柄部を示す図である。
【図７】拡大表示用図柄部が拡大して見える様子を説明する図である。
【図８】実施例２を示しており、リング部材が嵌め込まれる計器表示装置の斜視図である。
【図９】図８の計器表示装置に搭載された文字板の要部断面図である。
【図１０】実施例３による文字板の要部断面図である。
【発明を実施するための形態】
【００２０】
以下、本発明の実施例を図面に従って説明する。
【実施例１】
【００２１】
まず、計器表示装置の構成について説明する。図１〜図７は実施例１による計器表示装置を示しており、図１は計器表示装置の正面図、図２は図１のＳＡ−ＳＡ線に沿った概略断面図、図３は計器表示装置の斜視図、図４は指針の回動機構付近の断面図、図５は文字板の要部断面図、図６は文字板表面に施される拡大表示用図柄部を示す図、図７は拡大表示用図柄部が拡大して見える様子を説明する図である。
【００２２】
自動車等の車両には、車室内の前部に図１及び図３に示すような計器表示装置１が取り付けられている。この計器表示装置１は、ここでは速度計の計器部２のみを備えた単独メータである。
【００２３】
計器表示装置１は、図４に示すように、特に図示しない樹脂製のハウジングに対して、電子基板４と文字板５とを取り付けた構造を備えている。文字板５は、電子基板４の上方（表面側）に、所要の間隔を有して平行に配置されている。
【００２４】
電子基板４の下面（裏面）には、ムーブメント６が取り付けられており、このムーブメント６の出力軸７は電子基板４に形成された軸孔８、及び文字板５に形成された軸孔９に対してほぼ面直状態で貫通配置されている。この出力軸７は指針軸であり、その上部先端部は文字板５の表面側まで突出している。そして、出力軸７の上部先端部には指針１０の基部１０ａが結合されている。さらに、指針１０の基部１０ａには、当該基部１０ａと出力軸７の上部先端部との結合部を覆う指針キャップ１２が嵌着されている。
【００２５】
指針１０は、照明可能なように無色又は有色の透明樹脂等により形成され、一方、指針キャップ１２は指針照明光を遮断し得るように遮光性を有する不透明樹脂等により形成されている。
【００２６】
このような計器表示装置１には、夜間等の外光がなく周囲が暗いときに指針１０を照明するための指針照明機能部１３が設けられる。この指針照明機能部１３は、指針照明用光源１４と、指針用露光防止壁１５とを有している。
【００２７】
指針照明用光源１４は、電子基板４の表面側であって指針キャップ１２の内側部分に対向する位置に、複数個取り付けられている。この指針照明用光源１４には、ＬＥＤ等の省電力型の長寿命光源が使用される。そして、指針用露光防止壁１５は、複数の指針照明用光源１４の周囲を取り囲むと共に、指針キャップ１２の外周部とほぼ対応する位置に配置され、電子基板４から文字板５にまで達するほぼ円筒状を呈している。
【００２８】
一方、文字板５は、図５に示すように、樹脂製の透明基材１６と、この透明基材１６の表面側に配置された微細レンズ部１７と、透明基材１６の裏面側に配置された文字板意匠形成部１８とを有している。
【００２９】
微細レンズ部１７は、例えば、多数のいわゆるマイクロレンズ１７ａを有する微細レンズ群設置部として構成される。このマイクロレンズ１７ａは、例えば、精密金型を用いて透明基材１６に形成したり、透明樹脂を溶剤に溶かしたインクをインクジェットプリンタで噴射することにより透明基材１６に形成したりすることができる。なお、いずれの製造方法においてもマイクロレンズ１７ａは透明基材１６の表面側に突出した凸レンズ形状となる。
【００３０】
文字板意匠形成部１８は、指針１０の回動領域に対応する指針回動領域１９と、指針回動領域１９の外側に配置された円環状の外部領域２０とに画成される（図１及び図３も参照）。指針回動領域１９は、外部領域２０の内側に配置された円環状の目盛表示領域部１９ａと、目盛表示領域部１９ａの内側に配置された円環状の数字表示領域部１９ｂと、数字表示領域部１９ｂの内側に配置された円環状の繋ぎ領域部１９ｃと、繋ぎ領域部１９ｃの内側に配置された円形状の中央領域部１９ｄとを有する。中央領域部１９ｄの中央には、出力軸７（図４参照）が挿通するための軸孔９が形成されている。
【００３１】
文字板５は、指針回動領域１９が外部領域２０よりも奥側に凹んだ形状に折り曲げられている。すなわち、文字板５を水平に置いたとき、外部領域２０、数字表示領域部１９ｂ及び中央領域部１９ｄは各々水平となるが、数字表示領域部１９ｂは外部領域２０よりも電子基板４により接近した位置に、中央領域部１９ｄは数字表示領域部１９ｂよりも電子基板４により接近した位置にそれぞれ配置される。
【００３２】
目盛表示領域部１９ａは、外部領域２０と数字表示領域部１９ｂとを繋ぐと共に、数字表示領域部１９ｂに向かって下り傾斜面となっている。また、繋ぎ領域部１９ｃは、数字表示領域部１９ｂと中央領域部１９ｄとを繋ぐと共に、中央領域部１９ｄに向かって下り傾斜面となっている。ここでは、目盛表示領域部１９ａの傾斜角度は、繋ぎ領域部１９ｃの傾斜角度よりも緩く設定されている。
【００３３】
そして、目盛表示領域部１９ａに対応して目盛３１が、数字表示領域部１９ｂに対応して各数字３２が、中央領域部１９ｄに対応して複数の警告灯等表示部２２がそれぞれ配置されている。
【００３４】
外部領域２０と目盛表示領域部１９ａとの間の折り曲げ部３３、及び数字表示領域部１９ｂと繋ぎ領域部１９ｃとの間の折り曲げ部３４はそれぞれ山折り（文字板５の表面側において山折り）に形成されている。また、目盛表示領域部１９ａと数字表示領域部１９ｂの間の折り曲げ部３５、及び繋ぎ領域部１９ｃと中央領域部１９ｄとの間の折り曲げ部３６はそれぞれ谷折り（文字板５の裏面側において谷折り）に形成されている。
【００３５】
本実施例では、山折りに形成された折り曲げ部３３，３４の裏面側（透明基材１６の裏面側）に、ミラーインク等の加飾印刷３７，３８がそれぞれ施されている。なお、加飾印刷３７，３８が施された箇所、つまり折り曲げ部３３，３４においては、透明基材１６の表面側にマイクロレンズ１７ａは設けられていない。
【００３６】
また、透明基材１６の裏面側には、図６に示すような拡大表示用図柄部２５が設けられ、この拡大表示用図柄部２５上にはベースカラー印刷層２６が形成されている。拡大表示用図柄部２５は、目盛３１や数字３２が配置された部分には設けられておらず、この部分においては、ベースカラー印刷層２６が透明基材１６の裏面に直接接している。なお、目盛３１や数字３２はベースカラー印刷層２６の下面側に、又はベースカラー印刷層２６の中に設けられている。
【００３７】
各警告灯等表示部２２は、それぞれ昼夜を問わず必要なときに個別に点灯表示されるものであり、警告灯等には、警告灯、指示灯、表示灯等が含まれるものとする。この警告灯等表示部２２は、ベースカラー印刷層２６上に形成される遮光印刷層２２ａを白抜きすることで形成されている。なお、警告灯等表示部２２は、無印刷又は有色の透光性印刷となっている。また、各警告灯等表示部２２は、電子基板４の表面側であってそれぞれの警告灯等表示部２２に対向する位置に取り付けられた警告灯等照明用光源２３（図４参照）により照明可能となっている。この警告灯等照明用光源２３には、ＬＥＤ等の省電力型の長寿命光源が使用される。
【００３８】
警告灯等照明用光源２３の周囲には、図４に示すように、電子基板４から文字板５にまで達するほぼ円筒状を呈した警告灯等用露光防止壁２４が設けられる。なお、警告灯等用露光防止壁２４は、複数の警告灯等表示部２２に対応して個別に構成しても一体に構成してもよく、また一体化した場合には、さらに指針用露光防止壁１５と一体に構成するようにしてもよい。
【００３９】
拡大表示用図柄部２５は、透光性の印刷部で構成され、文字板５の図柄として適していればどのような図柄であってもよいが、あまり目立ちすぎないような色彩や色調のものとすることが好ましい。ここでは、淡色系の市松模様の微細パターン等にされている（図６及び図７参照）。また、ベースカラー印刷層２６はくすんだ銀色系のインク等にされている。なお、拡大表示用図柄部２５及びベースカラー印刷層２６は、スクリーン印刷やオフセット印刷等により印刷形成される。
【００４０】
そして、目盛表示領域部１９ａ、数字表示領域部１９ｂ及び外部領域２０は、電子基板４の表面側にあって、これら目盛表示領域部１９ａ、数字表示領域部１９ｂ及び外部領域２０に対向する位置に取り付けられた複数の文字板照明用光源２７により照明可能となっている。この文字板照明用光源２７には、ＬＥＤ等の省電力型の長寿命光源が使用される。文字板照明用光源２７からの光は目盛３１や数字３２を透過するので、車の運転者は、その透過光を見ることにより、目盛３１や数字３２を認識できる。
【００４１】
一方、中央領域部１９ｄは、文字板５と指針１０との間に配置されて指針照明用光源１４の光をこの中央領域部１９ｄ向けて反射する反射部材３０による反射光により照明可能となっている。
【００４２】
次に、本実施例における計器表示装置に作用について説明する。
【００４３】
実施例１の計器表示装置１の文字板５は、透明基材１６の表面側に微細レンズ部１７を有し、透明基材１６の裏面側に拡大表示用図柄部２５を有している。ここで、微細レンズ部１７が凸レンズ状のマイクロレンズ１７ａの集合体である場合には、大雑把に言って一枚の凸レンズに近いレンズ効果を得ることができ、この微細レンズ部１７により拡大表示用図柄部２５を拡大して透明基材１６の表面から離れた位置にて視認させ得ることができる。すなわち、図６に示した拡大表示用図柄部２５は、図７に示すように拡大して見える。
【００４４】
ここで、拡大表示用図柄部２５に対する拡大効果は、この拡大表示用図柄部２５が微細レンズ部１７に対して文字板５の面方向に特定の位置関係になったときにのみ得られる。この特定の位置関係は若干の範囲を有しており、この範囲内で微細レンズ部１７による拡大倍率を変更することができる。この際、微細レンズ部１７による拡大倍率が大きくなるに従い、拡大して見える拡大表示用図柄部２５は、透明基材１６から遠くに離れて見える（奥側に視認される）傾向を有している（沈込拡大虚像）。
【００４５】
また、拡大表示用図柄部２５が、微細レンズ部１７に対して上記の特定の位置関係から外れる場合（以下、通常の位置関係という）には、拡大効果は得られず等倍にしか見えなくなる。このように、微細レンズ部１７は、一枚の凸レンズとは異なった特性をも有している。
【００４６】
そして、本実施例によれば、文字板５が、指針１０の回動範囲が文字板５の周囲、つまり外部領域２０よりも奥側に凹んだ形状に折り曲げられているので、文字板５の中央部に奧行き感を持たせることができる。これにより、警告灯等表示部２２をより一層立体的に表示することが可能となる。
【００４７】
また、折り曲げ部３３，３４にはマイクロレンズ１７ａを設けることができず、見栄えが悪くなる虞があるが、本実施例では、折り曲げ部３３，３４の裏面側に加飾印刷３７，３８がそれぞれ施されているので、マイクロレンズ１７ａが設けられていなくても見栄えが悪くなることはない。
【００４８】
また、本実施例によれば、警告灯等照明用光源２３を光らせることにより警告灯等表示部２２が点灯表示されると、この警告灯等表示部２２は拡大された拡大表示用図柄部２５を透過した状態で表示される。つまり、拡大表示用図柄部２５上に警告灯等表示部２２が透けて見え、警告灯等表示部２２と中央領域部１９ｄとの間に高低差（あるいは前後（奥行き）方向の位置の差）を感じることができる。これにより、中央領域部１９ｄ上に点灯した警告灯等表示部２２が浮遊した状態で見える。
【００４９】
なお、この際、中央領域部１９ｄでは、警告灯等表示部２２を透過した警告灯等照明用光源２３からの光がベースカラー印刷層２６、拡大表示用図柄部２５を透過する。すなわち、警告灯等表示部２２には拡大表示用図柄部２５が重なることとなるが、この拡大表示用図柄部２５が淡色系の微細パターンであるため拡大表示用図柄部２５が目立つようなことない。反対に、警告灯等照明用光源２３を消灯することにより警告灯等表示部２２が文字板５から見えなくなり、拡大表示用図柄部２５のみを視認しうる。この警告灯等表示部２２の点灯や消灯は、複数存在している警告灯等表示部２２ごとに独立して行われる。
【実施例２】
【００５０】
図８及び図９は実施例２を示している。本実施例では、外部領域２０と目盛表示領域部１９ａとの間の山折りの折り曲げ部３３付近において、透明基板１６には貫通孔４０が設けられ、また、数字表示領域部１９ｂと繋ぎ領域部１９ｃとの間の山折りの折り曲げ部３４付近において、透明基板１６には貫通孔４１が設けられている。貫通孔４０は外部領域２０側に複数設けられ、折り曲げ部３３に沿って円周状に配置されている。また、貫通孔４１は数字表示領域部１９ｂ側に複数設けられ、折り曲げ部３４に沿って円周状に配置されている。
【００５１】
そして、リング部材４２が用意され、このリング部材４２は、その下面に設けられた爪部４２ａが貫通孔４０に挿通される。これにより、リング部材４２は折り曲げ部３３付近に係止されている。リング部材４２は、その内径が折り曲げ部３３の直径に略合致するよう形成されている。また、リング部材４３が用意され、このリング部材４３は、その下面に設けられた爪部４３ａが貫通孔４１に挿通される。これにより、リング部材４３は折り曲げ部３４付近に係止されている。リング部材４３は、その内径が折り曲げ部３４の直径に略合致するよう形成されている。なお、その他の構成は、実施例１の場合と同様である。
【００５２】
本実施例によれば、リング部材４２，４３を嵌め込むことで、文字板５の立体感をより一層高めることができる。すなわち、運転者には、マイクロレンズ１７ａを通さずにリング部材４２，４３が直接目に入ってくるので、リング部材４２，４３が手前に浮き出して見え、文字板５の立体感をより一層高めることができる。
【実施例３】
【００５３】
図１０は実施例３を示している。本実施例では、外部領域２０と目盛表示領域部１９ａとの間の山折りの折り曲げ部４５、及び数字表示領域部１９ｂと繋ぎ領域部１９ｃとの間の山折りの折り曲げ部４６がそれぞれ上方へ突出して形成されている。すなわち、折り曲げ部４５において透明基材１６は断面逆Ｕ字型に折り曲げられ、その折り曲げ部４５の頂部４５ａは、外部領域２０における透明基材１６の表面よりも上方に位置している。また、折り曲げ部４６においても透明基材１６は断面逆Ｕ字型に折り曲げられ、その折り曲げ部４６の頂部４６ａは、数字表示領域部１９ｂにおける透明基材１６の表面よりも上方に位置している。
【００５４】
そして、折り曲げ部４５，４６の裏面側（透明基材１６の裏面側）に、ミラーインク等の加飾印刷４７，４８がそれぞれ施されている。加飾印刷４７，４８が施された箇所、つまり折り曲げ部４５，４６においては、透明基材１６の表面側にマイクロレンズ１７ａは設けられていない。なお、その他の構成は、実施例１の場合と同様である。
【００５５】
本実施例によれば、実施例２におけるリング部材４２，４３を設ける必要がないので、その分、部品点数が少なくて済み、コストアップの抑制を図ることができる。
【００５６】
また、本実施例においては、折り曲げ部４５，４６にはマイクロレンズ１７ａが設けられていないが、折り曲げ部４５，４６の裏面側にはそれぞれ加飾印刷４７，４８が施されているので、あたかもリング部材が存在しているように見え、折り曲げ部４５，４６が浮き上がって見える。これにより、文字板５の立体感がより一層増すことになる。
【００５７】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【００５８】
例えば、上記各本実施例では、計器表示装置１は速度計であって単独メータであったが、本発明は、速度計及び回転計からなる二連メータにも適用可能である。
【符号の説明】
【００５９】
１  計器表示装置
５  文字板
７  出力軸（指針軸）
１０  指針
１７  微細レンズ部
１７ａ  マイクロレンズ
１６  透明基材
１９  指針回動領域
１９ａ  目盛表示領域部
１９ｂ  数字表示領域部
１９ｃ  繋ぎ領域部
１９ｄ  中央領域部
２０  外部領域
２２  警告灯等表示部
２５  拡大表示用図柄部
２６  ベースカラー印刷層
３１  目盛
３２  数字
３３，３４  山折りの折り曲げ部
３５，３６  谷折りの折り曲げ部
３７，３８，４７，４８  加飾印刷
４２，４３  リング部材
４５，４６  突出した折り曲げ部
【図１】
2010181165.tif 000003
【図２】
2010181165.tif 000004
【図３】
2010181165.tif 000005
【図４】
2010181165.tif 000006
【図５】
2010181165.tif 000007
【図６】
2010181165.tif 000008
【図７】
2010181165.tif 000009
【図８】
2010181165.tif 000010
【図９】
2010181165.tif 000011
【図１０】
2010181165.tif 000012